(57)【要約】  本発明は、ＨＦ信号を送信および／または受信する実質的に三角形で導電性の第１のアンテナ区画（１０）を有し、第１のアンテナ区画に相当し、且つ多角形を形成する少なくとも１つの第２、第３および第４のアンテナ区画を有し、ここでそれぞれの三角形の先端（１２）はほぼ、中心にアンテナ軸（１４）がある多角形の中心点（１１）の領域に設けられており、アンテナ軸に対して実質的に垂直な支台装置（１５）を有し、中心点（１１）から出発して少なくとも区画毎に漏斗形状を支台装置とは反対側に形成する三角形のアンテナ区画の三角形の先端は支台装置のＨＦ信号端子（１５´）と多角形の中心点の領域においてそれぞれ接触しており、且つ直径上において対向する２つのアンテナ区画それぞれがアンテナ素子を形成する、電磁的なＨＦ信号を送信／受信するための装置を提供する。本発明は同様に電磁的なＨＦ信号を送信／受信するための方法を提供する。
2006528473.tif 000002
【特許請求の範囲】
【請求項１】
電磁的なＨＦ信号を送信／受信するための装置において、
ＨＦ信号を送信および／または受信する実質的に三角形で導電性の第１のアンテナ区画（１０）を有し、
前記第１のアンテナ区画（１０）に相当し、且つ多角形を形成する少なくとも１つの第２、第３および第４のアンテナ区画（１０）を有し、それぞれの三角形の先端（１２）はほぼ、中心にアンテナ軸（１４）がある前記多角形の中心点（１１）の領域に設けられており、
前記アンテナ軸（１４）に対して実質的に垂直な支台装置（１５）を有し、
前記中心点（１１）から出発して少なくとも区画毎に漏斗形状を前記支台装置（１５）とは反対側に形成する三角形の前記アンテナ区画（１０）の前記三角形の先端（１２）は前記支台装置（１５）のＨＦ信号端子（１５´）と前記多角形の前記中心点（１１）の領域においてそれぞれ接触しており、且つ直径上において対向する２つのアンテナ区画（１０）それぞれがアンテナ素子を形成することを特徴とする、電磁的なＨＦ信号を送信／受信するための装置。
【請求項２】
有利には矩形のウェブでテーパされている、実質的に三角形の前記アンテナ区画（１０）の前記三角形の先端（１２）がそれぞれ支台装置（１５）、例えば多層の回路基板の方向への所定の湾曲部を有し、前記支台装置（１５）において実質的に垂直に、電気的に相互に絶縁されたＨＦ信号端子（１５´）に集まる、請求項１記載の装置。
【請求項３】
実質的に三角形の少なくとも４つの前記アンテナ区画（１０）の表面が少なくとも区画毎に平坦または凸状または凹状および／または波状または階段状に実施されており、有利には少なくとも区画毎にアンテナ軸（１４）に対して垂直に延びる移行領域（１８）が漏斗状形状部と導電性の遮蔽壁（１３）との間に設けられており、該遮蔽壁（１３）はそれぞれ実質的にアンテナ軸（１４）に平行に延びており、実質的に三角形の４つの前記アンテナ区画（１０）がそれぞれ前記三角形の先端（１２）とは反対側において前記遮蔽壁（１３）に移行する、請求項１または２記載の装置。
【請求項４】
実質的に三角形の少なくとも４つの前記アンテナ区画（１０）の露出している２つの辺には、アンテナ特性を適応させるために角張ったおよび／または丸まった切り欠き部（１６）がそれぞれ設けられている、請求項１から３までのいずれか１項記載の装置。
【請求項５】
実質的に三角形のちょうど４つの前記アンテナ区画（１０）が多角形としての方形または矩形を形成し、それぞれが直径上において対向する２つのアンテナ区画（１０）のＨＦ信号端子には、有利には異なるが、場合によっては部分的に重畳する周波数領域の２つのＨＦ信号帯域が印加される、請求項１から４までのいずれか１項記載の装置。
【請求項６】
実質的に三角形のちょうど４つの前記アンテナ区画（１０）が多角形としての方形または矩形を形成し、それぞれが直径上において対向する２つのアンテナ区画（１０）のＨＦ信号端子（１５´）にはＨＦ信号が交番的に印加される、請求項１から５までのいずれか１項記載の装置。
【請求項７】
前記遮蔽壁（１３）が前記支台装置（１５）の導電性の遮蔽装置と接触しており、該遮蔽装置は有利には支台装置（１５）上または支台装置内に設けられており、有利には両方が殊に大きな面積で基準電位に接続されている、請求項３記載の装置。
【請求項８】
前記支台装置（１５）に対してほぼ平行にカバーとしてのレードーム（１７）が、実質的に三角形の少なくとも４つの前記アンテナ区画（１０）を介して設けられており、アンテナ装置は有利には車輪が設けられている軸（１９）を介して可動に支承されている、請求項１から７までのいずれか１項記載の装置。
【請求項９】
実質的に三角形の少なくとも４つの前記アンテナ区画（１０）は、有利には前記遮蔽壁（１３）の領域において相互に機械的および／または電気的に接続されている別個の薄板から構成されているか、少なくとも区画毎に導電性の金属化部が設けられている一体的な金属ダイカスト成形部またはプラスチックダイカスト成形部から構成されている、請求項１から８までのいずれか１項記載の装置。
【請求項１０】
実質的に三角形の少なくとも４つの前記アンテナ区画（１０）の前記三角形の先端（１２）は、はんだ接触部または導電性の接着接触部を介して支台装置（１５）のHF信号端子に電気的に接続されている、請求項１から９までのいずれか１項記載の装置。
【請求項１１】
電磁的なＨＦ信号を送信／受信するための方法において、
実質的に三角形で導電性の第１のアンテナ区画（１０）を準備するステップと、
実質的に前記第１のアンテナ区画（１０）に相当し、且つ中心にアンテナ軸（１４）がある多角形のほぼ中心点（１１）の領域においてそれぞれが三角形の先端（１２）を有する、少なくとも１つの第２、第３および第４のアンテナ区画（１０）を準備するステップと、
前記アンテナ軸（１４）に実質的に垂直な支台装置（１５）を準備するステップと、
前記支台装置（１５）の中心点（１１）の領域内に配置されている、直径上において対向するそれぞれ２つのＨＦ信号端子に、相互に約１８０°位相がずらされている、それぞれ所定の周波数領域の差があるＨＦ信号を印加するステップを有し、前記中心点（１１）から出発して少なくとも区画毎に漏斗状形状を支台装置（１５）とは反対側に形成する三角形のアンテナ区画（１０）の前記三角形の先端（１２）が前記ＨＦ信号端子と接触していることを特徴とする、電磁的なＨＦ信号を送信／受信するための方法。
【発明の詳細な説明】
【技術分野】
【０００１】
従来技術
本発明は、電磁的なＨＦ信号を送信／受信するための装置と方法、殊に１〜５ＧＨｚの周波数領域において動作するレーダ装置のためのＨＦアンテナに関する。
【０００２】
例えば壁の中の管ないしケーブルのような対象を検出するために調節されている装置のためのアンテナは一般的に高周波（ＨＦ）のレーダ信号の送信および／または受信に関して最適化されている。平面状に実施されている公知のアンテナはDE 101 04 863 A1から公知である。
【０００３】
この公知の平面アンテナは機械的に高い安定性でもって回路基板に固定することができ、また二次的な極大値ないしサイドローブが大幅に低減されている比較的対称的な指向性グラフを形成する。公知のアンテナは導電性の基板から構成されており、この基板は相互に対向する縁において、アンテナを給電回路網に接続するための導体アームとして使用される湾曲された２つの面区画を有する。この場合、２つの導体アームのそれぞれには固有の端子が設けられており、この端子を回路基板上に存在する給電回路網と接続することができる。公知のアンテナ装置における欠点は相当の体積の構造形状並びに、湾曲された面区画と導電性の基板との間の寄生的な放射である。さらには公知のレーダアンテナを用いてはただ１つの放射方向しか実現されない。
【０００４】
発明の利点
請求項１の特徴を備えた電磁的なＨＦ信号を送信／受信するための本発明による装置ならびに請求項１１の特徴を備えた電磁的なＨＦ信号を送信／受信するための本発明による方法は公知の解決手段に比べて、測定対象をより良好に検出できるようにするために、アンテナを用いて相互に直交する２つの方向において測定データを取得できるという利点を有する。さらにはデュアル放射／受信が実現されるにもかかわらず、従来技術よりも小さい構造形状が実現される。上述の従来技術に応じた寄生的な放射、すなわち不所望な電磁界の放射は遮蔽部を用いる本発明によるコンフィギュレーションによって阻止される。それを除いたとしても簡単な実装が保証されており、この場合装置は機械的に非常に安定している。
【０００５】
本発明が基礎とする着想の本質は、実質的に三角形で導電性であり漏斗状で扇形に拡がっているアンテナ区画が直径上において対向していることであり、これによってこのアンテナ区画が相応に励起される場合には、放たれる電磁界が形成され、したがってアンテナを形成する。本発明による装置の幾何学は、放たれる磁界がアンテナ上方の空間で横断面においても縦断面においても急激な変化ないし二次的な極大値が生じることなく形成されるよう構成されている。隣接するアンテナ区画は十分に減結合されている。
【０００６】
換言すれば殊に以下のものを有する電磁的なＨＦ信号を送信／受信するための装置が提供される。すなわち、ＨＦ信号を送信および／または受信する実質的に三角形で導電性の第１のアンテナ区画を有し、第１のアンテナ区画に実質的に相当し、且つ多角形を形成する少なくとも１つの第２、第３および第４のアンテナ区画を有し、ここで、それぞれの三角形の先端はほぼ、中心にアンテナ軸がある多角形の中心点の領域に設けられており、アンテナ軸に対して実質的に垂直な支台装置を有し、ここで、中心点から出発する三角形のアンテナ区画の三角形の先端のそれぞれは少なくとも区画毎に漏斗形状を支台装置とは反対側において形成し、支台装置のＨＦ信号端子と多角形の中心点の領域において接触しており、また直径上において対向する２つのアンテナ区画それぞれがアンテナ素子を形成する。
【０００７】
従属請求項には、請求項１に記載されている電磁的なＨＦ信号を送信／受信するための装置の有利な発展形態および実施形態が記載されている。
【０００８】
有利な実施形態によれば、有利には矩形のウェブでテーパされている、実質的に三角形のアンテナ区画の三角形の先端がそれぞれ支台装置、殊に多層の回路基板の方向への所定の湾曲部を有し、この支台装置において実質的に垂直に、電気的に相互に絶縁されているＨＦ信号端子へと集まる。この特徴は本発明によるアンテナ装置の放射特性のさらなる改善に使用される。
【０００９】
別の有利な実施形態によれば、実質的に三角形の少なくとも４つのアンテナ区画の表面が少なくとも部分的に平面状または凸状または凹状および／または波状または階段状に実施されており、有利には少なくとも区画毎にアンテナ軸に対して垂直に延びる移行領域が漏斗状形状部と導電性の遮蔽壁との間に設けられており、この遮蔽壁はそれぞれ実質的にアンテナ軸に平行に延びており、また実質的に三角形の４つの区画がそれぞれ三角形の先端とは反対側でこの遮蔽壁に移行する。このことは有利には、寄生的な放射ないし寄生的な信号の受信の低減をもたらし、これによってアンテナ特性がさらに向上する。
【００１０】
別の有利な実施形態によれば、実質的に三角形の少なくとも４つのアンテナ区画の露出している２つの辺には、アンテナ特性を適応させるために角張ったおよび／または丸まった切り欠き部がそれぞれ設けられている。送信／受信特性を最適化するための別個の調整可能性は有利である。
【００１１】
別の有利な実施形態によれば、実質的に三角形のちょうど４つのアンテナ区画が多角形としての方形または矩形を形成し、それぞれが直径上において対向している２つの隣接するアンテナ区画のＨＦ信号端子には、有利には異なるが、場合によっては部分的に重畳する周波数領域の２つのＨＦ信号帯域を印加することができる。したがって放射周波数ないし受信周波数をアンテナ装置の形状に調整することができる、またはその逆を行うことができ、この場合信号は異なる周波数スペクトルに基づき容易に区別することができる。
【００１２】
別の有利な実施形態によれば、実質的に三角形のちょうど４つのアンテナ区画が多角形としての方形または矩形を形成し、それぞれが直径上において対向している２つの隣接するアンテナ区画のＨＦ信号端子にＨＦ信号を交番的に印加することができる。この有利な構成によって、有利には約９０°相互にずらされている２つの異なる分極平面を用いた動作が可能であり、この際ＨＦ源はスイッチを介して２つのＨＦ信号端子組を差動的に制御する。
【００１３】
別の有利な実施形態によれば、遮蔽壁が支台装置の導電性の遮蔽装置と接触しており、この遮蔽装置は有利には支台装置上または支台装置内に設けられており、また有利には両方が殊に大きな面積で基準電位に接続されている。この有利な措置は改善された遮蔽に基づきさらに良好な放射／受信特性を提供する。
【００１４】
別の有利な実施形態によれば、支台装置に対してほぼ平行にカバーとしてのレードームが、実質的に三角形の少なくとも４つのアンテナ区画を介して設けられており、アンテナ装置は有利には車輪が設けられている軸を介して可動に支承されている。したがって送信／受信装置の保護が保証され、装置が有利には軸を用いて剛性的に接続されている車輪を介して可動であることが保証されている。
【００１５】
別の有利な実施形態によれば、実質的に三角形の少なくとも４つのアンテナ区画は、有利には遮蔽壁の領域において相互に機械的および／または電気的に接続されている別個の薄板から構成されているか、少なくとも区画毎に導電性の金属化部が設けられている一体的な金属ダイカスト成形部またはプラスチックダイカスト成形部から構成されている。したがって廉価な製造変形が有利には提供される。
【００１６】
別の有利な実施形態によれば、実質的に三角形の少なくとも４つのアンテナ区画の三角形の先端がはんだ接触部を介して、または導電性の接着接触部を介して支台装置のHF信号端子と電気的に接続されている。これにより有利には同様に廉価且つ簡単な実装が得られる。
【００１７】
図面
本発明の実施例を図面に示し、以下の記述において詳細に説明する。
ここで、
図１は本発明の第１の実施形態を説明するための送信／受信装置の概略的な斜視図を示し、
図２は本発明の実施形態を説明するための送信／受信装置の概略的な断面図を示し、
図３は本発明の機能性を説明するための簡略化された送信／受信装置の概略的な断面図を示し、
図４および図５は本発明の別の実施形態を説明するための送信／受信装置の上からないし下からの概略的な斜視図を示し、
図６は本発明の実施形態を説明するためのアンテナ区画の概略的な俯瞰図を示し、
図７は図６による装置の折り曲げられた状態での概略的な斜視図を示し、
図８は本発明の別の実施形態を説明するための送信／受信装置の概略的な斜視図を示し、
図９および図１０は本発明の別の実施形態を説明するための送信／受信装置の上からないし下からの概略的な斜視図を示し、
図１１は本発明の別の実施形態を説明するための送信／受信装置の概略的な斜視図を示す。
【００１８】
実施例の説明
図面において同一の参照番号は同一の構成部材または機能的に等しい構成部材を表す。
図１にはカバーが設けられていない状態での支台装置１５、例えば回路基板上のアンテナ基本形状が示されている。ここでは、導電性であり実質的に三角形で実質的に同一の４つのアンテナ区画１０が俯瞰的に見て正方形を形成するように配置されており、この正方形の中心点１１の領域に三角形の先端１２が存在する。実質的に三角形のアンテナ区画１０は正方形の外辺において、支台装置１５に対して実質的に垂直に延びる導電性の遮蔽壁１３に移行する。図１によれば、４つのアンテナ区画１０ならびにそれぞれの遮蔽壁１３が一体的に、例えばアルミニウムダイカスト成形により製造されている実施形態が示されている。ここで装置の中心点１１の領域に存在する三角形の先端１２は、遮蔽壁１３の上側の辺に関して、支台装置１５の方向に下へと向かっており、その結果漏斗形状ないしコーン形状が生じる。三角形の先端１２は支台装置１５のＨＦ信号端子（図１には図示せず）と接触している。
【００１９】
図２には図１と同等のコンフィギュレーションが断面図で示されているが、非導電性の材料からなるレードームの形態のカバー装置１７が示されている。カバー装置１７は実質的に支台装置１５と平行に延在している。実質的に三角形のアンテナ区画１０と遮蔽壁１３との間には移行部分１８が設けられており、この移行部分１８は実質的に支台装置と平行に延びており、また殊にカバー装置１７と接触している。
【００２０】
カバー装置１７、すなわち殊に送信／受信装置とその上側において接触しているレードームに機械的な負荷が加えられると、負荷が大きな面積で遮蔽壁１３を介して全体の周囲において支台装置１５に伝達される。俯瞰的に見て実質的に三角形のアンテナ区画１０の三角形の先端と接続されている、内側に存在するＨＦ信号端子１５′は相互に絶縁されている。実質的に三角形のアンテナ区画１０は有利には、所定の湾曲度を有する矩形のウェブ（図１および２には設けられていない）で三角形の先端１２に移行する。図２による断面において斜めに延びるアンテナ区画１０と、支台装置の領域においてこの支台装置１５に対して垂直に集まっている三角形の先端１２との間の湾曲度は、レーダ波を容易に放てるように構成されている。
【００２１】
図２の断面図からは、直径上において対向している２つのアンテナ区画１０間の漏斗形状が見て取れ、ここでは中心点１１の領域においてアンテナ軸１４が延びている。支台装置１５は有利には多層回路基板ないしマルチレイヤ回路基板であり、この回路基板は一貫した遮蔽平面（図２には示されていない）を有し、この遮蔽平面は有利には遮蔽壁１３と導電的に接続されている。
【００２２】
図３によるコンフィギュレーションにおいては、実質的に三角形のアンテナ区画１０ならびに遮蔽壁１３また移行部分１８からなるアンテナ素子のみが示されている。湾曲した矢印によって電磁的な交番磁界が示されており、この交番磁界は差があるＨＦ信号、すなわち実質的に１８０°相互にずらされているＨＦ信号によって給電される。アンテナ軸１４に沿って電磁波が有利には２〜５ＧＨｚの周波数を有するレーダ領域において伝播する。有利にはアンテナが、図１および２のような内側に設けられている４つのＨＦ信号端子１５′を有する平行六面体形状のケーシングから構成されている。
【００２３】
図３によれば、直径上において対向しているそれぞれ２つのＨＦ信号端子１５′はおよそ１８０°相互に位相シフトされたＨＦ信号でもって差を有して励起される。それにより、有利には相互に約９０°ずらされている２つの異なる分極平面を有する装置の動作が得られる。対向する端子は幾何学的に近接して配置されており、またアンテナ軸１４に対して有利には平行な方向を有するが、少なくとも１つの鋭角を有する。有利には矩形上で短いウェブに従い、三角形の先端１２が実質的に三角形のアンテナ区画１０へと移行する。三角形の先端は丸められた湾曲部を有し、この湾曲部が有利には平坦なアンテナ区画１０へと移行する。しかしながら、少なくとも区画毎に波状および／または階段状および／または凹状および／または凸状であるアンテナ区画１０の横断面形状も考えられる。
【００２４】
アンテナ区画１０の上側の部分は、斜めのアンテナ区画１０と垂直な遮蔽壁１３との間で中心点が等しい場合に半径が一致するならば接線に移行する。遮蔽壁１３はその下側の端部で支台装置１５の領域において、支台装置１５に集積されている導電性の材料からなる平面状の遮蔽部と同様に、平面状または少なくとも部分的にシステムアース、有利には基準電位と接続されている。したがってアンテナ区画１０の下側に形成される電磁界が外に向かって遮蔽される。
【００２５】
したがって、直径上において対向する、円錐形状ないし漏斗形状に延びるアンテナ区画１０の間には、公知のようにして放たれる電磁界が生じる。幾何学は、放たれた場が横断面において、例えば送信／受信装置上方の縦断面において急激に変化することなく生じるように構成されている。この際すぐ近くに存在するアンテナ区画は十分に減結合されている。
【００２６】
図１における実施形態によれば、送信／受信装置は４つの対称平面、すなわち図１によるコンフィギュレーションを俯瞰的に考察して水平平面、垂直平面ならびにこれらの平面に対して４５°の角度にある平面を有する。実施形態によれば、直径上において対向するアンテナ区画１０によって相互に垂直に形成されている２つのアンテナ素子を異なるように寸法設計し、その結果図１による正方形の代わりに、俯瞰的にみて矩形（図示せず）が生じることも考えられる。この際有利には、長手側に沿ったアンテナ区画１０は例えば２〜３ＧＨｚの比較的低い周波数で動作され、横断側に沿って、すなわち長手方向に直交する方向においては例えば２．５〜４ＧＨｚの周波数で動作される。これにより単に２つの対称平面のみが生じる。
【００２７】
アンテナ区画１０の下方におけるプラスチックホルダ（図示せず）に関しては、部分的な切り欠き部を遮蔽壁１３にもたらすことができ、このことは切り欠き部が過度に大きすぎず、且つ支台装置１５とアンテナ区画１０ならびに遮蔽壁１３との間の遮蔽された空間において最大値を有さないという前提条件の下に行われる。この場合には、この種の切り欠き部は上方へ外に向かって放たれる電磁波への負の影響を有さない。
【００２８】
４つのＨＦ信号端子１５′は有利には支台装置１５ないし回路基板の相互に絶縁された貫通接続部に突入しており、またそこにおいて三角形の先端１２と電気的に接触される。漏斗形状とは反対側で支台装置において／支台装置からなる有利には設けられている金属層は有利には、十分に全面的にシステムアースないし基準電位ならびに遮蔽壁１３の下側と接触している。しかしながら、同軸ケーブルの導線とアンテナ区画１０の三角形の先端１２との間のそれぞれの接触も可能であり、この際その外側導体はシステムアースないし基準電位と接続されている。さらには、前述の可能性の組み合わせも考えられる。
【００２９】
所定の周辺条件、例えば送信／受信装置の下側および上側の限界周波数、水平方向および／または垂直方向における最大限の取り付け幾何学を確実な限界内で考慮することができ、また適応させることができる。原則的には、実質的に三角形のアンテナ区画１０の伸張している長さおよび上側の幅は可能な送信／受信領域を決定する。実質的に三角形のアンテナ区画１０内の図４による切り欠き部１６によってアンテナ特性を修正することができ、また殊に放射特性を適応させることができる。さらには、下側の目標周波数に対して必要とされる寸法を相応の切り欠き部によって低減することも可能である。アンテナ部分１０の露出されている２つの辺において上側と中央の領域に存在する、図４および図５（下側から見た図）による切り欠き部１６によって、下側の限界周波数を小さくすることができ、またアンテナ適応の部分的な改善も達成することができる。この際、切り欠き部の他の形状、例えば円形、のこ刃形状、波形も可能であり、そのような形状を用いて適切な設計において同等の効率を達成することができる。
【００３０】
図４および図５による実施形態に示されているアンテナ装置は有利にはアルミニウムダイカスト成形から製造されており、また固定孔を備えた張り出し成形部２０を有し、この張り出し成形部２０を用いて送信／受信装置を支台装置１５上に機械的および／または電気的に接続することができる。軸１９は外側に位置する車輪（図示せず）との剛性的な接続に使用され、この軸を用いて送信／受信装置を面にわたって平行に移動させることができる。面積を節約するためにこの軸１９は有利には、アンテナ区画１０を備えた送信／受信装置の外径の内側に延在し、また非導電性の材料から構成されている。軸１９を通過させて案内するための開口部は計算された所定の位置に設けられており、その位置においてはアンテナ部分１０によって形成される空間内の電磁波の場最大値が生じない。
【００３１】
有利には、送信／受信装置の動作に必要とされるＨＦ信号供給ないし信号導出ないし信号分布は支台装置１５、有利にはマルチレイヤ回路基板上またはその内部において行われる。アンテナ側に向けられている遮蔽層（図示せず）における給電線が電気的にその層から絶縁されて延びている場合には、このことは有利にはグランデッドコプレーナ（Grounded coplanar）技術によって実現されている。金属のダイカスト成形部、有利にはアルミニウムダイカスト成形部としての実施形態の他に、プラスチックからなる同等の射出成形部を設けることも可能であり、この射出成形部は導電性の金属層でもって公知のように覆われている。
【００３２】
プラスチックボディ内の射出成形に適した分散的な貫通部によって、同等の特性を持つほぼ均質で区画毎に導電性のアンテナ素子が形成される。
【００３３】
本発明の実施形態によれば、送信／受信装置が支台装置１５ないし導体またはアース電位基板へと、図４および図５による一体的に鋳造または射出成形された固定孔２０を介して固定されるので実装が非常に簡単である。４つの端子コンタクト１５´は三角形の先端１２とはんだ付けされるか、導電性の接着剤を用いて接着される。さらには、方形の基本形状においてはアンテナを任意の方向で実装することができる。
【００３４】
したがって、ＨＦ信号端子１５´によって相互に依存せずに制御可能な直径上において対向するアンテナ区画１０は相互に直交する２つの分極を送信／受信することができる。
【００３５】
図６においては、実質的に三角形のアンテナ区画１０が単一薄板１０´として示されている。単一薄板１０´は有利には、例えばブリキ板からの打ち抜き部であり、また三角形の先端１２および遮蔽壁１３の他に切り欠き部１６ならびに係止および／または掛止素子２２ならびに係止および／または掛止開口部２３を有する。機械的および／または電気的な接続素子２１を介して、単一薄板１０´を支台装置１５に機械的および／または電気的に接続することができる。  図７においては、事前に成形されて処理された後の図６による単一薄板１０´が示されている。遮蔽壁１３は実質的に三角形のアンテナ区画１０に対して９０°よりも小さい角度を有し、また三角形の先端１２は所定の湾曲を示す。係止および／または掛止素子２２の領域においては遮蔽壁１３が折り曲げられている。
【００３６】
図９による斜視図においては図７による４つのアンテナ素子が図１と同等のコンフィギュレーションで支台装置１５上に実装されている。単一薄板１０´は係止および／または掛止素子２２並びに掛止および／または係止開口部２３を用いて、相互に組み合わされて結合されて１つのアンテナユニットを形成するように構成されている。このユニットを例えば支台装置１５、有利には回路基板にはんだ付けすることができる。単一薄板１０´を必要に応じて辺および係止および／または掛止素子２２ないし係止および／または掛止開口部２３において、支台装置１５への実装前または実装後にはんだ付けまたは接着することができる。これによって、所期の事前実装コストで図１に関して記述したものと同等の安定した送信／受信装置が提供される。図１０においては図９による装置が支台装置の設けられていない状態で下側から示されている。
【００３７】
さらには単一薄板１０´をそれぞれ支台装置に実装する可能性も存在し、この単一薄板１０´は支台装置１５への実装後に漸く電気的および／または機械的な接続部を有する。４つ全ての薄板１０´が実装されるとアンテナは完全なものであり、この際薄板１０´は必要に応じて同様に共通の辺ではんだ付けすることができる。図１１による実施形態は、単一薄板１０´が支台装置への実装後にも相互に直接的に接触していないコンフィギュレーションを示している。この場合、各単一薄板１０´はそれ事態支台装置にはんだ付けされる。４つ全ての単一薄板１０´の取り付け後に漸く送信／受信装置が形成される。実質的に三角形のアンテナ区画１０内の渦電流を低減するために、図１１によればスリットないし切り欠き部２５が設けられている。渦電流を低減するためのこれらのスリットないし切り欠き部は同様に、本発明の他の全ての実施形態においても使用することができ、有利にはアンテナ区画１０の対称軸にそって設けられている。図１１にはさらに遮蔽壁１３内に切り欠き部が示されており、横断方向においては図４および５による２つの車輪軸１９が設けられている。
【００３８】
図８によれば、図７による、すなわち既に曲げられている４つの単一薄板１０´が適切なプラスチックホルダにクリップ止めされるか、直接的に埋設部として射出成型時に埋め込まれている。この際、単一薄板１０´は相互に接触せず、プラスチックホルダ２４が単一薄板１０´を一次的に遮蔽壁１３（図８においては設けられていない）で案内する。薄板は支台装置１５（図示せず）への取り付け後にも接触しない。プラスチックホルダ２４は、同時に送信／受信装置の周囲の別の素子のための機能担体またはホルダとして、例えば低周波数ボビンとして使用される場合には殊に有利である。単一薄板からなる全ての変形においては、コストは非常に僅かである。部品数が少ない場合には、薄板部分をレーザによって切り取ることができる。同様に必要とされる簡単な湾曲装置に関しては、僅かな工具コストしか生じない。部品数が多い場合には、流れ作業での単一薄板１０´の完全に自動的な製造も可能である。しかしながら図１から５によるダイカスト成形部および／または射出成形部はより複雑な工具を必要とする。
【００３９】
本発明を前記においては有利な実施例に関連させて説明したが、本発明はそれらの実施例に制限されるものではなく、本発明を多様に変更することができる。つまり例えば、遮蔽壁１３と三角形の先端１２との間の領域においては、すなわち実質的に三角形のアンテナ区画１０においては、機械的な振動を低減するためのビードを設けることができる。
【００４０】
実質的に三角形の４つのアンテナ区画をそれぞれ備えている具体的に説明した実施例の他にも、多角形を形成する、実質的に三角形のより多くの偶数個のアンテナ区画を可能であり、この場合には直径上に対向するアンテナ区画には前述のＨＦ信号を供給することができる。さらには、前述の大きさの割合および材料は単に例示的なものであるとみなすべきである。
【図面の簡単な説明】
【００４１】
【図１】本発明の第１の実施形態を説明するための送信／受信装置の概略的な斜視図。
【図２】本発明の実施形態を説明するための送信／受信装置の概略的な断面図。
【図３】本発明の機能性を説明するための簡略化された送信／受信装置の概略的な断面図。
【図４】本発明の別の実施形態を説明するための送信／受信装置の上からの概略的な斜視図。
【図５】本発明の別の実施形態を説明するための送信／受信装置の下からの概略的な斜視図。
【図６】本発明の実施形態を説明するためのアンテナ区画の概略的な俯瞰図。
【図７】図６による装置の折り曲げられた状態での概略的な斜視図。
【図８】本発明の別の実施形態を説明するための送信／受信装置の概略的な斜視図。
【図９】本発明の別の実施形態を説明するための送信／受信装置の上からの概略的な斜視図。
【図１０】本発明の別の実施形態を説明するための送信／受信装置の下からの概略的な斜視図。
【図１１】本発明の別の実施形態を説明するための送信／受信装置の概略的な斜視図。
【図１】
2006528473.tif 000003
【図２】
2006528473.tif 000004
【図３】
2006528473.tif 000005
【図４】
2006528473.tif 000006
【図５】
2006528473.tif 000007
【図６】
2006528473.tif 000008
【図７】
2006528473.tif 000009
【図８】
2006528473.tif 000010
【図９】
2006528473.tif 000011
【図１０】
2006528473.tif 000012
【図１１】
2006528473.tif 000013
【国際調査報告】
2006528473.tif 000014
2006528473.tif 000015
2006528473.tif 000016
2006528473.tif 000017
2006528473.tif 000018
2006528473.tif 000019